(57)【要約】      （修正有）【課題】欠陥密度が低く、かつ反りの少ないIII族窒化物半導体基板を提供すること。【解決手段】サファイア基板６１上に第一のＧａＮ層６２を成長させ、つづいて金属Ｔｉ膜６３を形成した後、窒化処理して、微細孔を有するＴｉＮ膜６４を形成する。その後、ＨＶＰＥ−ＧａＮ層６６を成長する。金属Ｔｉ膜６３およびＴｉＮ膜６４の作用により、ＨＶＰＥ−ＧａＮ層６６中には空隙部６５が形成される。この空隙部６５の箇所からサファイア基板６１を剥離除去する。【選択図】図６
2008162887.tif 000002
【特許請求の範囲】
【請求項１】
下地基板上に、金属元素含有膜を形成する工程と、
該金属元素含有膜上に接して、空隙部を含むIII族窒化物半導体層を形成する工程と、
前記空隙部を剥離箇所として前記下地基板を剥離して除去する工程と、
を含むことを特徴とするIII族窒化物半導体基板の製造方法。
【請求項２】
請求項１に記載のIII族窒化物半導体基板の製造方法において、前記金属元素含有膜は、III族窒化物半導体に対して分解作用を有する金属元素を含有することを特徴とするIII族窒化物半導体基板の製造方法。
【請求項３】
請求項２に記載のIII族窒化物半導体基板の製造方法において、前記金属元素は、遷移元素であることを特徴とするIII族窒化物半導体基板の製造方法。
【請求項４】
請求項２に記載のIII族窒化物半導体基板の製造方法において、前記金属元素は、スカンジウム、イットリウム、チタン、ジルコニウム、ハフニウム、バナジウム、ニオブ、タンタル、クロム、モリブデン、タングステン、レニウム、鉄、ルテニウム、オスミウム、コバルト、ロジウム、イリジウム、ニッケル、パラジウム、マンガン、銅、白金または金であることを特徴とするIII族窒化物半導体基板の製造方法。
【請求項５】
請求項４に記載のIII族窒化物半導体基板の製造方法において、前記金属元素は、チタン、ジルコニウム、ハフニウム、タンタル、白金、コバルトまたはニッケルであることを特徴とするIII族窒化物半導体基板の製造方法。
【請求項６】
下地基板上に、金属元素含有膜を形成する工程と、
該金属元素含有膜上に接して、第一のIII族窒化物半導体層を成長させる工程と、
前記第一のIII族窒化物半導体層の成長温度よりも高い温度で前記金属元素含有膜および前記第一のIII族窒化物半導体層を熱処理し、前記第一のIII族窒化物半導体層中に空隙部を形成する工程と、
前記第一のIII族窒化物半導体層上に第二のIII族窒化物半導体層を形成する工程と、
前記空隙部を剥離箇所として前記下地基板を剥離して除去する工程と、
を含むことを特徴とするIII族窒化物半導体基板の製造方法。
【請求項７】
請求項６に記載のIII族窒化物半導体基板の製造方法において、前記第一のIII族窒化物半導体層の成長温度を４００℃以上８００℃以下とすることを特徴とするIII族窒化物半導体基板の製造方法。
【請求項８】
請求項６または７に記載のIII族窒化物半導体基板の製造方法において、前記第一のIII族窒化物半導体層の前記熱処理を９００℃以上１４００℃以下の温度で行うことを特徴とするIII族窒化物半導体基板の製造方法。
【請求項９】
請求項６乃至８いずれかに記載のIII族窒化物半導体基板の製造方法において、前記第一のIII族窒化物半導体層の厚みを２０ｎｍ以上２０００ｎｍ以下とすることを特徴とするIII族窒化物半導体基板の製造方法。
【請求項１０】
請求項６乃至９いずれかに記載のIII族窒化物半導体基板の製造方法において、前記金属元素含有膜は金属膜であることを特徴とするIII族窒化物半導体基板の製造方法。
【請求項１１】
請求項６乃至１０いずれかに記載のIII族窒化物半導体基板の製造方法において、前記金属元素含有膜は、III族窒化物半導体に対して分解作用を有する金属元素を含有することを特徴とするIII族窒化物半導体基板の製造方法。
【請求項１２】
請求項１１に記載のIII族窒化物半導体基板の製造方法において、前記金属元素は、遷移元素であることを特徴とするIII族窒化物半導体基板の製造方法。
【請求項１３】
請求項１１に記載のIII族窒化物半導体基板の製造方法において、前記金属元素は、スカンジウム、イットリウム、チタン、ジルコニウム、ハフニウム、バナジウム、ニオブ、タンタル、クロム、モリブデン、タングステン、レニウム、鉄、ルテニウム、オスミウム、コバルト、ロジウム、イリジウム、ニッケル、パラジウム、マンガン、銅、白金または金であることを特徴とするIII族窒化物半導体基板の製造方法。
【請求項１４】
請求項１３に記載のIII族窒化物半導体基板の製造方法において、チタン、ジルコニウム、ハフニウム、タンタル、白金、コバルトまたはニッケルであることを特徴とするIII族窒化物半導体基板の製造方法。
【請求項１５】
下地基板上に、微細孔構造を有する金属元素含有膜を形成する工程と、
該金属元素含有膜上に接して、空隙部を含むIII族窒化物半導体層を形成する工程と、
前記空隙部を剥離箇所として前記下地基板を剥離して除去する工程と、
を含むことを特徴とするIII族窒化物半導体基板の製造方法。
【請求項１６】
請求項１５に記載のIII族窒化物半導体基板の製造方法において、前記金属元素含有膜は、III族窒化物半導体に対して分解作用を有する金属元素を含有することを特徴とするIII族窒化物半導体基板の製造方法。
【請求項１７】
請求項１６に記載のIII族窒化物半導体基板の製造方法において、前記金属元素は、遷移元素であることを特徴とするIII族窒化物半導体基板の製造方法。
【請求項１８】
請求項１６に記載のIII族窒化物半導体基板の製造方法において、前記金属元素は、スカンジウム、イットリウム、チタン、ジルコニウム、ハフニウム、バナジウム、ニオブ、タンタル、クロム、モリブデン、タングステン、レニウム、鉄、ルテニウム、オスミウム、コバルト、ロジウム、イリジウム、ニッケル、パラジウム、マンガン、銅、白金または金であることを特徴とするIII族窒化物半導体基板の製造方法。
【請求項１９】
請求項１８に記載のIII族窒化物半導体基板の製造方法において、前記金属元素は、チタン、ジルコニウム、ハフニウム、タンタル、白金、コバルトまたはニッケルであることを特徴とするIII族窒化物半導体基板の製造方法。
【請求項２０】
下地基板上に、少なくとも表面が金属窒化物からなる金属元素含有膜を形成する工程と、
前記金属窒化物に含まれる窒素の脱離処理を行う工程と、
該金属元素含有膜上に接して、空隙部を含むIII族窒化物半導体層を形成する工程と、
前記空隙部を剥離箇所として前記下地基板を剥離して除去する工程と、
を含むことを特徴とするIII族窒化物半導体基板の製造方法。
【請求項２１】
請求項２０に記載のIII族窒化物半導体基板の製造方法において、金属元素含有膜を形成する前記工程は、前記下地基板上に金属膜を形成した後、該金属膜を窒化処理する工程を含むことを特徴とするIII族窒化物半導体基板の製造方法。
【請求項２２】
請求項２０に記載のIII族窒化物半導体基板の製造方法において、前記金属元素含有膜が金属窒化膜であることを特徴とするIII族窒化物半導体基板の製造方法。
【請求項２３】
請求項２０乃至２２いずれかに記載のIII族窒化物半導体基板の製造方法において、前記窒素の脱離処理は、前記金属元素含有膜を還元性雰囲気に曝す処理であることを特徴とするIII族窒化物半導体基板の製造方法。
【請求項２４】
下地基板上に、少なくとも表面が金属窒化物からなる金属元素含有膜を形成する工程と、
該金属元素含有膜上に接して、原料ガスのＶ/III比が１０以下の条件でIII族窒化物半導体を成長させ、空隙部を含むIII族窒化物半導体層を形成する工程と、
前記空隙部を剥離箇所として前記下地基板を剥離して除去する工程と、
を含むことを特徴とするIII族窒化物半導体基板の製造方法。
【請求項２５】
請求項２４に記載のIII族窒化物半導体基板の製造方法において、前記金属元素含有膜は、III族窒化物半導体に対して分解作用を有する金属元素を含有することを特徴とするIII族窒化物半導体基板の製造方法。
【請求項２６】
請求項２５に記載のIII族窒化物半導体基板の製造方法において、前記金属元素は、遷移元素であることを特徴とするIII族窒化物半導体基板の製造方法。
【請求項２７】
請求項２５に記載のIII族窒化物半導体基板の製造方法において、前記金属元素は、スカンジウム、イットリウム、チタン、ジルコニウム、ハフニウム、バナジウム、ニオブ、タンタル、クロム、モリブデン、タングステン、レニウム、鉄、ルテニウム、オスミウム、コバルト、ロジウム、イリジウム、ニッケル、パラジウム、マンガン、銅、白金または金であることを特徴とするIII族窒化物半導体基板の製造方法。
【請求項２８】
請求項２７に記載のIII族窒化物半導体基板の製造方法において、前記金属元素は、チタン、ジルコニウム、ハフニウム、タンタル、白金、コバルトまたはニッケルであることを特徴とするIII族窒化物半導体基板の製造方法。
【請求項２９】
請求項１乃至２８いずれかに記載のIII族窒化物半導体基板の製造方法において、前記下地基板の全面に前記金属元素含有膜を形成することを特徴とするIII族窒化物半導体基板の製造方法。
【請求項３０】
下地基板上に、多孔質層を含むIII族窒化物半導体層を形成した後、該多孔質層を剥離箇所として前記下地基板を剥離して除去する工程を含むことを特徴とするIII族窒化物半導体基板の製造方法。
【請求項３１】
請求項１乃至３０いずれかに記載のIII族窒化物半導体基板の製造方法において、前記下地基板を剥離して除去する前記工程は、III族窒化物半導体層成長後、雰囲気温度を降下させることにより前記下地基板を自然剥離する工程を含むことを特徴とするIII族窒化物半導体基板の製造方法。
【請求項３２】
請求項１乃至３１いずれかに記載のIII族窒化物半導体基板の製造方法により得られたIII族窒化物半導体基板。
【発明の詳細な説明】
【技術分野】
【０００１】
本発明は、III族窒化物半導体の自立基板及びその製造方法に関するものである。
【背景技術】
【０００２】
窒化ガリウム（ＧａＮ）、窒化インジウムガリウム（ＩｎＧａＮ）、窒化ガリウムアルミニウム（ＡｌＧａＮ）等のＧａＮ系化合物半導体は、青色発光ダイオード（ＬＥＤ）やレーザーダイオ−ド（ＬＤ）用材料として、脚光を浴びている。さらに、ＧａＮ系化合物半導体は、耐熱性や耐環境性が良いという特徴を活かして、電子デバイス用素子への応用開発も始まっている。
【０００３】
ＧａＮ系化合物半導体はバルク結晶成長が難しいため、実用に耐えるＧａＮの基板を得ることが困難である。現在広く実用化されているＧａＮ成長用の基板はサファイア基板であり、単結晶サファイア基板の上に有機金属気相成長法（MOＶＰＥ法）等でＧａＮをエピタキシャル成長させる方法が一般に用いられている。
【０００４】
ところが、サファイア基板はＧａＮと格子定数が異なるため、サファイア基板上に直接ＧａＮを成長させたのでは単結晶膜を成長させることができない。このため、サファイア基板上に一旦低温でＡｌＮやＧａＮのバッファ層を成長させ、この低温成長バッファ層で格子の歪みを緩和させてからその上にＧａＮを成長させる方法が考案されている（特許文献１）。この低温成長窒化物層をバッファ層として用いることで、ＧａＮの単結晶エピタキシャル成長は可能になった。しかし、この方法でも、やはり基板と結晶の格子のずれは如何ともし難く、ＧａＮは無数の欠陥を有している。この欠陥は、ＧａＮ系ＬＤを製作する上で障害となることが予想される。また、近年では、サファイアとＧａＮの格子定数差に起因して発生する欠陥の密度を低減する方法として、ELO(非特許文献１）や、FIELO(非特許文献２）、ペンデオエピタキシー(非特許文献３）といった成長技術も報告されており、飛躍的に結晶性の改善されたＧａＮエピタキシャルウェハが得られるようになってきた。
【特許文献１】特開昭63−188983号公報
【非特許文献１】Appl.Phys.Lett.71(18)2638(1997)
【非特許文献２】Jpn.J.Appl.Phys.38,L184(1999)
【非特許文献３】MRS Internet J.Nitride Semicond.Res.4S1,G3.38(1999)
【発明の開示】
【発明が解決しようとする課題】
【０００５】
ところが、ELOやFIELO等の方法により、欠陥密度の低い単結晶ＧａＮ層は成長できるようになったものの、上述のエピタキシャルウェハには、サファイアとＧａＮとの格子定数差や熱膨張係数差に起因して、基板が反ってしまうという課題があった。基板に反りが存在すると、取り扱い時に基板が割れやすいばかりでなく、デバイスプロセスのフォトリソグラフィ工程等において、基板にマスクパターンを焼き付ける際、基板面内で焦点を均一に合わせることが難しく、素子作製時の歩留まりが低下する。このようなことから、欠陥密度が低く、かつ反りのないＧａＮエピ基板の開発が切に望まれている。更には、欠陥密度が低く、かつ反りのないＧａＮバルク基板が得られることが望ましいが、大型バルクＧａＮ結晶の作製は非常に難しく、未だ実用的なものは得られていない。
【０００６】
最近になって、ＨＶＰＥ法（ハイドライド気相成長法）などの方法でＧａＮの厚膜を、基板上にヘテロエピタキシャル成長させ、その後基板を除去してＧａＮの自立基板を得る方法が提案された。しかし、この方法において、サファイア基板上に成長したＧａＮをサファイア基板からエッチングで分離する技術は、今のところ開発されていない。サファイア基板を、研磨で機械的に除去する方法も試みられているが、研磨の過程で基板の反りが増大し、基板が割れてしまうことがあり、実用化には到っていない。Jpn.J.Appl.Phys.Ｖol.38(1999)Pt.2,Ｎo.3Aには、サファイア基板上にＨＶＰＥ法でＧａＮを厚く成長させ、その後レーザーパルスを照射して、ＧａＮ層だけを剥離させる方法が報告されている。しかし、この方法でも基板にクラックが入りやすいという課題がある。除去し易い基板を用いる方法として、特開２０００−１２９００号公報には、ＧａＡｓ基板上にＨＶＰＥ法でＧａＮを厚く成長させ、その後ＧａＡｓ基板をエッチングで除去する方法が開示されている。この方法を用いれば、比較的高歩留まりで、大型のＧａＮ基板を得ることができるが、ＧａＮ結晶成長中にＧａＡｓ基板が分解してしまい、ＧａＮ中にＡｓが不純物として混入してしまうという課題がある。エピタキシャル成長ＧａＮの欠陥密度低減には、上述のＦＩＥＬＯのような、パターニングされたマスクを用いる選択成長が有効であり、特開平１０−３１２９７１号公報等の技術が開示されているが、基板を容易に剥離する技術が無かったため、ＧａＮ自立基板の作製には未だ適用されていない。
【０００７】
上記事情に鑑み本発明は、欠陥密度が低く、かつ反りの少ないIII族窒化物半導体基板を提供することを目的とする。
【課題を解決するための手段】
【０００８】
本発明によれば、下地基板上に、金属元素含有膜を形成する工程と、該金属元素含有膜上に接して、空隙部を含むIII族窒化物半導体層を形成する工程と、前記空隙部を剥離箇所として前記下地基板を剥離して除去する工程と、を含むことを特徴とするIII族窒化物半導体基板の製造方法が提供される。
【０００９】
また本発明によれば、下地基板上に、金属元素含有膜を形成する工程と、該金属元素含有膜上に接して、第一のIII族窒化物半導体層を成長する工程と、前記第一のIII族窒化物半導体層の成長温度よりも高い温度で前記金属元素含有膜および前記第一のIII族窒化物半導体層を熱処理し、前記第一のIII族窒化物半導体層中に空隙部を形成する工程と、前記第一のIII族窒化物半導体層上に第二のIII族窒化物半導体層を形成する工程と、前記空隙部を剥離箇所として前記下地基板を剥離して除去する工程と、を含むことを特徴とするIII族窒化物半導体基板の製造方法が提供される。
【００１０】
また本発明によれば、下地基板上に、微細孔構造を有する金属元素含有膜を形成する工程と、該金属元素含有膜上に接して、空隙部を含むIII族窒化物半導体層を形成する工程と、前記空隙部を剥離箇所として前記下地基板を剥離して除去する工程と、を含むことを特徴とするIII族窒化物半導体基板の製造方法が提供される。
【００１１】
また本発明によれば、下地基板上に、少なくとも表面が金属窒化物からなる金属元素含有膜を形成する工程と、前記金属窒化物に含まれる窒素の脱離処理を行う工程と、該金属元素含有膜上に接して、空隙部を含むIII族窒化物半導体層を形成する工程と、前記空隙部を剥離箇所として前記下地基板を剥離して除去する工程と、を含むことを特徴とするIII族窒化物半導体基板の製造方法が提供される。
【００１２】
また本発明によれば、下地基板上に、少なくとも表面が金属窒化物からなる金属元素含有膜を形成する工程と、該金属元素含有膜上に接して、原料ガスのＶ/III比を１０以下の条件でIII族窒化物半導体を成長させ、空隙部を含むIII族窒化物半導体層を形成する工程と、前記空隙部を剥離箇所として前記下地基板を剥離して除去する工程と、を含むことを特徴とするIII族窒化物半導体基板の製造方法が提供される。
【００１３】
さらに本発明によれば、下地基板上に、多孔質層を含むIII族窒化物半導体層を形成した後、該多孔質層を剥離箇所として前記下地基板を剥離して除去する工程を含むことを特徴とするIII族窒化物半導体基板の製造方法が提供される。
【００１４】
また本発明によれば、上記製造方法により得られるIII族窒化物半導体基板が提供される。
【００１５】
本発明は、基板上に金属元素含有膜を介して空隙部を有するIII族窒化物半導体層を形成し、この空隙部を剥離箇所として下地基板を剥離して除去するものである。金属元素含有膜は、その上に良好な品質のIII族窒化物半導体層を形成させ、かつ、そのIII族窒化物半導体層に空隙を形成する役割を有する。空隙部は、歪み緩和領域として機能し、その上部に形成されるIII族窒化物半導体層の結晶品質を向上させるとともに、下地基板の剥離除去を容易にする。
【００１６】
III族窒化物半導体中の空隙部の存在形態は特に制限がないが、金属元素含有膜上に層状に形成されることが好ましい。このようにすることによって、多孔質層を含むIII族窒化物半導体層が安定的に形成され、III族窒化物半導体層中の残留歪みを効果的に低減できる。また、下地基板の剥離除去が一層容易となり、剥離のための特別なプロセスを経ることなくIII族窒化物半導体層成長後の降温過程で自然剥離することが可能となる。
【００１７】
本発明における空隙部の形成については種々の方法を採用することができる。III族窒化物半導体に対する分解作用を有する金属を利用して金属元素含有膜を構成し、かかる分解作用により空隙部を形成してもよいし、金属元素含有膜を微細孔構造とし、その上にIII族窒化物半導体層を形成することで、金属元素含有膜との界面近傍に空隙部を備えたIII族窒化物半導体層を形成できる。
【００１８】
従来のプロセスにおいても、基板上に形成されたIII族窒化物半導体層に空隙が導入される例はあった。たとえば、従来技術の項で述べたＥＬＯのプロセスにおいて、シリコンマスクを用いてマスク成長させた際、マスクがＧａＮによって完全に埋め込まれずに空隙が残存する場合がある。また、タングステンマスクを用いたマスク成長においてもマスク上でＧａＮとタングステンが反応して空隙が生じることがある。しかしながら、これらは、本来望ましくない空隙がマスク上に意図せずに導入される例であり、この空隙を剥離箇所として下地基板を剥離するものではない。また、この空隙は、本発明のように歪みを緩和したり下地基板の剥離を助ける役割を果たさない。これに対して本発明は、金属元素含有膜の有する化学的作用または物理的作用により形成された空隙部を有するため、以下のような作用効果を奏する。
【００１９】
第一に、欠陥密度が低く、結晶品質の良好なIII族窒化物半導体基板を得ることができる。空隙を有する領域が歪み緩和領域として機能し、下地基板とIII族窒化物半導体層との格子定数差や熱膨張係数差に起因する歪みを緩和するからである。
【００２０】
第二に、得られる半導体基板の反りを顕著に低減でき、デバイスプロセスのフォトリソグラフィ工程における歩留まり向上等を図ることができる。空隙を有する層が歪み緩和領域として機能し、下地基板とIII族窒化物半導体層との格子定数差や熱膨張係数差に起因する歪みを緩和するからである。
【００２１】
第三に、基板の除去を容易に行うことができるため、大口径で、クラックや傷のない、形の整ったＧａＮ単結晶の自立基板を容易に得ることができる。下地基板とIII族窒化物半導体層との間に空隙を有する層が介在するため、自然剥離または薬液や機械的衝撃等により容易に下地基板を除去できるからである。
【発明の効果】
【００２２】
本発明によれば、III族窒化物半導体層中に、空隙部を導入し、この空隙部から下地基板を剥離する構成を採用するため、欠陥密度が低く、かつ反りの少ないIII族窒化物半導体基板を得ることができる。空隙を有する層が歪み緩和領域として機能するとともに、当該空隙部から下地基板を容易に剥離除去できるからである。
【発明を実施するための最良の形態】
【００２３】
本発明は、下地基板上に、金属元素含有膜を形成する工程と、該金属元素含有膜上に接して、空隙部を含むIII族窒化物半導体層を形成する工程と、前記空隙部を剥離箇所として前記下地基板を剥離して除去する工程と、を含むものである。以下、歪みを充分に緩和でき基板の剥離が容易となる構造の空隙を、安定的に制御性良く形成する方法について、タイプＩ〜ＩＶに類別して説明する。
【００２４】
タイプＩ
タイプＩの製造方法は、下地基板上に、金属元素含有膜を形成する工程と、該金属元素含有膜上に接して、第一のIII族窒化物半導体層を成長する工程と、前記第一のIII族窒化物半導体層の成長温度よりも高い温度で前記金属元素含有膜および前記第一のIII族窒化物半導体層を熱処理し、前記第一のIII族窒化物半導体層中に空隙部を形成する工程と、前記第一のIII族窒化物半導体層上に第二のIII族窒化物半導体層を形成する工程と、を含む。この製造方法において、金属元素含有膜は、金属の酸化膜や金属窒化膜等であってもよいが、金属単体からなる金属膜であることが好ましい。III族窒化物半導体に対する分解作用が顕著となりやすいからである。
【００２５】
この製造方法によれば、金属元素含有膜上のIII族窒化物半導体層の成長が低温プロセスで行われるため、金属元素含有膜表面が高い触媒活性を維持した状態で層成長を行うことができる。たとえば、金属単体からなる膜上にIII族窒化物半導体層を形成する場合、当該層の成長は通常、困難であるが、低温プロセスを採用することにより、比較的良質な結晶品質の層を得ることができる。すなわち、本製造方法によれば、金属元素含有膜の触媒活性を高く維持しつつ良好な膜質のIII族窒化物半導体層を成長させることができ、優れた品質のIII族窒化物半導体基板を得ることができる。
【００２６】
第一のIII族窒化物半導体層の成長温度は、４００℃以上８００℃以下とすることが好ましい。こうすることによって、金属元素含有膜上に好適にIII族窒化物半導体層を成長させることができる。前述したように金属元素含有膜として金属単体からなる金属膜を用いた場合、通常、その上のIII族窒化物半導体層の成長が困難となるが、上記のような低い成長温度とすることによって、安定的に層成長させることができる。
【００２７】
空隙部を形成するための熱処理は、９００℃以上１４００℃以下の温度で行うことが好ましい。こうすることによって、歪みを充分に緩和でき基板の剥離が容易となる構造の空隙を、安定的に制御性良く形成することができる。なお、この熱処理は、たとえば、窒素ガス、酸素ガス、水素ガス、あるいはこれらの混合ガス雰囲気中で行うことができるが、窒素ガスやアンモニアガス等、窒素元素を含有するガスを用いることが好ましい。こうすることにより、空隙部を好適に形成することができる。この熱処理は、特に別工程として設けなくとも、第二のIII族窒化物半導体層を成長させる際の熱処理によって空隙を形成してもよい。たとえばＧａＮ系半導体のエピタキシャル成長においては、通常、１０００℃以上の温度で成長を行うので、金属元素含有膜を下地層としてＧａＮ層をかかる温度で成長させることにより、金属元素含有膜との界面近傍に空隙部の設けられたＧａＮ層を安定的に得ることができる。
【００２８】
第一のIII族窒化物半導体層の厚みは、好ましくは２０ｎｍ以上、より好ましくは５０ｎｍ以上とし、好ましくは２０００ｎｍ以下、より好ましくは１０００ｎｍ以下とする。こうすることによって、III族窒化物半導体層の結晶品質を良好に保ちつつ、層中に空隙を安定的に制御性良く形成することができる。
【００２９】
タイプＩＩ
タイプＩＩの製造方法は、下地基板上に、微細孔構造を有する金属元素含有膜を形成する工程と、該金属元素含有膜上に接して、空隙部を含むIII族窒化物半導体層を形成する工程と、を含む。微細孔構造を有する金属元素含有膜は、少なくとも表面が金属窒化物からなっていることが好ましい。このようにすれば、金属元素含有膜上に良好な品質のIII族窒化物半導体層をエピタキシャル成長させることができる。
【００３０】
微細孔構造を有する金属元素含有膜は、下地基板表面（異種基板上に直接金属元素含有膜を形成する場合は異種基板表面、異種基板上にIII族窒化物半導体膜を形成する場合は当該III族窒化物半導体膜）と格子整合しない金属材料を、比較的高い結晶性の得られる成膜方法、成膜条件で形成することにより得ることができる。下地基板と結晶構造が異なり、また、格子定数も異なるために、膜中に大きな残存歪みが発生し、微細孔構造が生じるものと考えられる。この上にIII族窒化物半導体層を成長させると、エピタキシャル情報は、微細孔を通して下地基板からIII族窒化物半導体層に受け継がれ、この層中に微細な空隙が多数発生する。
【００３１】
なお、上記微細孔を有する構造は、成膜条件の調整によって作成することもできるが、金属膜や金属窒化膜を形成後、適宜、熱処理を行うことによっても作成することができる。空隙形成のための熱処理は金属元素含有膜の材料によって適宜選択される。たとえばチタン膜を形成した場合、熱処理温度は好ましくは７００℃以上、より好ましくは８００℃以上とする。温度が低すぎると、空隙の形成効率が低下することがある。なお、上限については成膜材料等によって適宜設定されるが、ＧａＮ系材料の場合、１４００℃以下とすることが好ましい。
【００３２】
タイプＩＩＩ
タイプＩＩＩの製造方法は、下地基板上に、少なくとも表面が金属窒化物からなる金属元素含有膜を形成する工程と、前記金属窒化物に含まれる窒素の脱離処理を行う工程と、該金属元素含有膜上に接して、空隙部を含むIII族窒化物半導体層を形成する工程と、を含む。この製造方法によれば、金属元素含有膜表面の触媒活性が向上し、III族窒化物半導体層中により安定的に空隙を形成することができる。
【００３３】
この製造方法における金属元素含有膜は、下地基板上に金属膜を形成した後、該金属膜を窒化処理する方法や、下地基板上に金属窒化膜を形成する方法により形成することができる。また、前記窒素の脱離処理は、前記金属元素含有膜を還元性雰囲気に接触させる等の処理とすることができる。還元性雰囲気とは、水素やアンモニア等を含む雰囲気等をいう。
【００３４】
タイプＩＶ
タイプＩＶの製造方法は、下地基板上に、少なくとも表面が金属窒化物からなる金属元素含有膜を形成する工程と、該金属元素含有膜上に接して、原料ガスのＶ／ＩＩＩ比を１０以下の条件でIII族窒化物半導体を成長させ、空隙部を含むIII族窒化物半導体層を形成する工程と、を含む。こうすることにより、金属元素含有膜上のIII族窒化物半導体層の横方向成長を促進して、空隙を好適に形成することができる。
【００３５】
本発明における各プロセスや使用する材料等については、様々な構成を採用することができる。以下、そうした構成について説明する。
【００３６】
本発明において、金属元素含有膜は下地基板の全面に形成することができる。こうすることによって、空隙を基板全面にわたって形成でき、歪みをより効果的に緩和できる上、基板の剥離が一層容易となる。
【００３７】
本発明において、金属元素含有膜は、III族窒化物半導体に対して分解を促す触媒作用を有する金属元素を含有するものとすることができる。こうした金属元素として、遷移元素、特にｄ−ブロック遷移元素を例示することができる。なかでも、スカンジウム、イットリウム、チタン、ジルコニウム、ハフニウム、バナジウム、ニオブ、タンタル、タングステン、クロム、モリブデン、タングステン、レニウム、鉄、ルテニウム、オスミウム、コバルト、ロジウム、イリジウム、ニッケル、パラジウム、マンガン、銅、白金および金からなる群から選択される一または二以上の元素とすることが好ましい。こうした材料を用いることにより、III族窒化物半導体層に好適な形態の空隙を形成することができる。
【００３８】
上記のうち、特に、チタン、ジルコニウム、ハフニウム、タンタル、タングステン、白金、コバルトおよびニッケルは、III族窒化物半導体層に空隙を形成しやすく、好ましい。さらに、チタン、ジルコニウム、ハフニウム、タンタルおよびタングステンは、III族窒化物半導体層の成長温度においても比較的安定であり、本発明に好ましく用いることができる。ただし、タングステンを選択する場合は、６００℃程度の低温でもＧａＮの分解が起こることから、空隙が急激に発生することがあり、取扱いに注意を要する場合がある。
【００３９】
上記金属がIII族窒化物半導体層中に空隙を形成する理由はかならずしも明らかではないが、上記金属がIII族窒化物半導体に触媒として作用し、分解を促進するものと推察される。
【００４０】
本発明における金属元素含有膜は、さらに以下の条件を満たすものが好ましい。
(i)下地基板の配向性を伝達し、金属元素含有膜上にIII族窒化物半導体層が好適に単結晶エピタキシャル成長できること。金属元素含有膜は、六方晶系又は立方晶系の結晶系を有し、下地基板上で、金属元素含有膜が六方晶系であれば[０００１]軸方向、立方晶系であれば[１１１]軸方向に配向できることが望ましい。
(ii)金属元素含有膜の融点、あるいは分解開始温度が、その上に形成するIII族窒化物半導体層の成長温度よりも高く、当該成長温度において膜の形態を保つことができること。
(iii)金属元素含有膜上に成長するIII族窒化物半導体層の成長温度における蒸気圧が十分に低く、当該成長温度において昇華が生じないこと。
(iv) 金属元素含有膜上に成長するIII族窒化物半導体層の成長温度において、窒化物半導体やその原料ガス、成長雰囲気ガス（アンモニアガスや水素ガス等）と反応せず、結晶配向性が乱れないこと。
このような条件を満たす金属元素含有膜とすることで、より一層結晶品質の優れたIII族窒化物半導体基板を得ることができる。
【００４１】
本発明における金属元素含有膜は、金属単体でも金属化合物でもよく、単層膜でも二種類以上の膜の積層した複合膜であってもよい。好ましくは、金属膜、金属窒化膜またはこれらの積層体とする。
【００４２】
本発明における金属元素含有膜は、その上に良質な結晶品質のIII族窒化物半導体層を成長させるための下地層としての役割を果たすため、その表面の少なくとも一部が、金属窒化物となっていることが好ましい。こうすることにより、通常の成膜温度でIII族窒化物半導体を好適に成長させることができる。このような理由から、金属元素含有膜を構成する材料として、窒化しやすい金属元素を選択することが好ましい。このような観点からは、金属元素含有膜を構成する金属元素として、チタン、タンタル、タングステン等が好適である。なお、チタンなどの金属膜は、III族窒化物半導体の成長雰囲気に曝されることで、その表面が窒化されるため、特に窒化のための工程を設けなくてもよいが、窒化の度合いを制御するための工程を独立に設けてもよい。また、空隙を形成する工程の熱処理雰囲気に、水素と同時に窒素ガス又は窒素原子を含有する化合物ガスを導入することで、空隙の形成と同時にチタンの窒化を行うことも可能である。なお、上述したタイプＩのプロセスでは、金属元素含有膜上のIII族窒化物半導体の成長を低温で行うため、この場合は金属元素含有膜を金属単体で構成することができる。
【００４３】
また、本発明における金属元素含有膜は、その上に形成されるIII族窒化物半導体層に作用して空隙を発生させる役割を有していることから、金属元素含有膜表面の少なくとも一部に金属単体等の触媒活性の高い面が露出していることが好ましい。ここで、金属元素含有膜表面とは、平坦膜であればその上面をいい、微細孔を有する膜では、孔の内壁および膜上面の両方をいう。これらの箇所に金属単体等の触媒活性の高い面が露出していれば、空隙を有するIII族窒化物半導体層が好適に形成される。
【００４４】
本発明における金属元素含有膜の厚さは、材質等に応じて適宜設定されるが、たとえば、３ｎｍ以上、より好ましくは５ｎｍ以上とする。また、上限については、５００ｎｍ以下、より好ましくは５０ｎｍ以下とする。こうすることにより、金属元素含有膜上に形成されるIII族窒化物半導体層の結晶品質を良好に維持しつつ金属元素含有膜上の空隙を好適に形成することができる。
【００４５】
金属元素含有膜を堆積する手法は、蒸着法やスパッタ法、各種ＣＶＤ法などが利用できる。金属元素含有膜は、その表面が平坦で、かつ基板表面全面を覆っていることが望ましく、膜中に微細孔を有する構造であってもよい。このような微細孔を有する構造とすれば、金属元素含有膜の上に形成されるIII族窒化物半導体層中の欠陥密度を効果的に低減することができる。III族窒化物半導体層は、孔を覆って成長することが可能である。
【００４６】
金属元素含有膜の材料としてチタンを選択した場合を例に挙げると、金属膜を窒化し、略均一な孔を生じさせる熱処理は、７００℃以上１４００℃以下の温度で行うことが望ましい。これは７００℃未満では窒化反応が十分に進行せず、略均一な孔を生じさせることができないからである。下地基板として窒化物半導体基板あるいは窒化物半導体エピタキシャルウエハを用いた場合、１４００℃を超えると単結晶窒化ガリウム層の熱分解が過剰に進行し、金属窒化膜が剥離してしまう恐れがある。前記金属膜を窒化し、略均一な孔を生じさせる熱処理は、窒素ガスまたは窒素含有化合物ガスを含む雰囲気中で行うことが望ましい。こうすることにより、III族窒化物半導体層中に好適な形態の空隙を生成し得る、微細孔を備えた膜を形成することができる。
【００４７】
本発明において、金属元素含有膜の形成条件を適宜調整してもよく、また、金属元素含有膜形成後、その上にIII族窒化物半導体層を形成する前に、金属元素含有膜の表面処理を行っても良い。こうすることにより、
（ｉ）金属元素含有膜の有するIII族窒化物半導体分解作用（触媒作用）が十分に発揮され、あるいは、
（ｉｉ）横方向成長を促進して金属元素含有膜上にブリッジ的な構造が形成され、
応力緩和効果、基板剥離効果の高い空隙部がより一層安定的に形成されるようになる。以下、このような表面処理の方法の例について説明する。
【００４８】
方法１
金属元素含有膜の形成速度を１ｎｍ／ｓｅｃ以下とする。こうすることによって、金属元素含有膜の配向性が適度に保たれ、応力緩和効果、基板剥離効果の高い空隙部を好適に形成することができる。たとえば、Ｔｉの場合、蒸着速度蒸着速度を１ｎｍ／ｓｅｃ以下とすれば、Ｔｉの（０００１）配向性が良好に維持され、窒化した場合にも良好な結晶性が得られる。この結果、窒化膜表面に結晶方位の異なる島状結晶が析出することを抑制でき、本発明の意図する空隙を好適に形成することができる。
【００４９】
方法２
金属元素含有膜の厚みを調整する。たとえば金属元素含有膜の厚みを５ｎｍ〜５０ｎｍとする。こうすることにより、金属元素含有膜上に形成されるIII族窒化物半導体層の結晶品質を良好に維持しつつ金属元素含有膜上の空隙を好適に形成することができる。金属元素含有膜材料としてＴｉを採用した場合、Ｔｉの厚さは５ｎｍ〜５０ｎｍが望ましい。Ｔｉが薄すぎると、窒化処理後の網目が大きくなりすぎ、ＴｉＮの面積が少なくなり、空隙の形成が不充分となり、剥離ができなくなるからである。また５０ｎｍ以上に厚くなりすぎると、窒化膜の結晶性が悪くなり、窒化膜表面に結晶方位の異なる島状結晶が析出しやすくなり、このために横方向成長が阻害されて、空隙の形成が不十分となるからである。
【００５０】
方法３
金属元素含有膜上にIII族窒化物半導体層を成長する前に、金属元素含有膜表面をウエット処理する。このようにすれば金属元素含有膜上の自然酸化膜が取り除かれ、空隙形成のための触媒作用が十分に発揮されるようになる。ウエット処理は、たとえば、ＨＦに３０分間浸漬し、水洗するといった方法を利用することができる。
【００５１】
方法４
金属元素含有膜上のIII族窒化物半導体層成長時のキャリアガス組成を調整する。こうすることにより、金属元素含有膜上のIII族窒化物半導体層の横方向成長を促進して、空隙を好適に形成することができる。たとえば、III族窒化物半導体層をＨＶＰＥにより形成し、成長時のキャリアガスを、不活性ガス（Ｎ２など）を７０％以上含有する組成とする。
【００５２】
方法５
金属元素含有膜上のIII族窒化物半導体層成長時の反応ガス組成を調整する。具体的にはＶ／ＩＩＩ比を調整する。具体的には、Ｖ／ＩＩＩ比を１０以下とする。こうすることにより、金属元素含有膜上のIII族窒化物半導体層の横方向成長を促進して、空隙を好適に形成することができる。
【００５３】
方法６
金属元素含有膜上のIII族窒化物半導体層成長時のドーピングプロファイルを調整する。たとえばＳｉを不純物として導入し、ｎ型III族窒化物半導体基板を形成する場合、
成長開始後、５μｍの厚さになるまでは、Ｓｉ原子濃度が５×１０１７ｃｍ−３以下になるようにする。これは、Ｓｉを添加しすぎると横方向成長が阻害されるという理由からである。
【００５４】
なお、上記方法において、金属元素含有膜上のIII族窒化物半導体層成長時の成長温度は８００℃以上が望ましい。金属元素含有膜を構成する金属の触媒作用がその温度以上で発揮されるからである。
【００５５】
本発明におけるIII族窒化物半導体層の成長法は、ＭＯＣＶＤ法（有機金属気相成長法）をはじめとして、ＭＢＥ法（分子線エピタキシー法）、ＨＶＰＥ法（ハイドライド気相成長法）など、種々の方法を利用することが可能である。III族窒化物半導体の自立基板を得るための厚膜III族窒化物半導体成長には、ＨＶＰＥ法を用いるのが望ましい。これは、結晶成長速度が速く、厚膜を得るのが容易であるためであるが、ＭＯＣＶＤ法などの別の方法によっても、また、III族窒化物半導体を途中までＭＯＣＶＤ法で成長し、その後ＨＶＰＥ法でIII族窒化物半導体を厚く成長させるなど、複数の成長法を組み合わせて用いてもかまわない。
【００５６】
本発明におけるIII族窒化物半導体層は、不活性ガスまたはこれと水素等との混合ガスをキャリアガスとして用いることができる。不活性ガスはＮ２、Ｈｅ、Ｎｅ、Ａｒ、Ｋｒ、Ｘｅの少なくとも１種類を含むことができる。III族窒化物層を形成する場合に、成長初期にキャリアガスとして窒素などの不活性ガスを用い、その後、キャリアガスを水素に切り替えて結晶性に優れた層を成長させることもできる。
【００５７】
本発明において、下地基板としては特に制限がなく、種々のものを用いることができる。たとえば、サファイア、シリコン、ＳｉＣ、ランガサイト、Ａｌ、ＧａＡｓ等の異種材料基板や、ＧａＮ、ＡｌＮ、ＡｌＧａＮ等のIII族窒化物半導体からなる基板が例示される。たとえばサファイアを用いる場合、Ｃ面、Ａ面、Ｒ面等を用いることができる。下地基板にオフ角がついていても構わないが、１°以内のオフ角とすることが好ましい。１°以内とすることにより、金属膜の配向性を良好に保ち、膜上にIII族窒化物半導体層を良好に成長させることができる。
【００５８】
本発明における下地基板は、上記材料からなる基板からなるものとしてもよいし、その上に、適宜、ＧａＮ低温成長バッファ層を介してIII族窒化物半導体を形成した構成のものとしてもよい。
【００５９】
本発明において、III族窒化物半導体層は種々の半導体層とすることができ、ＧａＮ、ＡｌＧａＮ、ＩｎＧａＮまたはＩｎＡｌＧａＮ等とすることができる。このうち、金属元素含有膜近傍、たとえば金属元素含有膜上１００ｎｍにわたる領域は、ＧａＮあるいはアルミ組成が０．１以下のＡｌＧａＮにより構成することが望ましい。こうすることによって、金属元素含有膜近傍に応力緩和および基板剥離に好適な空隙を制御性良く形成できるからである。
【００６０】
III族窒化物半導体層の厚さは、１μｍ以上であることが望ましい。金属窒化膜表面には微小な孔が存在する場合があり、III族窒化物半導体層の成長初期には、その表面にも孔が引き継がれる。この孔は、徐々に埋まって最終的には無くなるが、この孔が埋まって表面が完全な平坦面になるために、III族窒化物半導体層の厚さは１μｍ以上とすることが好ましい。
【００６１】
III族窒化物半導体層の空隙率は、好ましくは２０％以上、より好ましくは３０％以上とし、また、好ましくは９０％以下、より好ましくは８０％以下とする。空隙率が小さすぎると歪緩和の効果が少なく、基板の反りの低減、欠陥密度の低減効果が得られないことがある。空隙率が大きすぎると、金属元素含有膜上のIII族窒化物半導体層の成長の際、金属膜が部分的に剥離を起こし、結晶成長が阻害されることがある。
【００６２】
本発明において、金属膜上にIII族窒化物半導体層を形成する工程は、金属膜上に、直接または他の層を介して、開口部を有するマスクを形成した後、この開口部を成長領域として、開口部およびマスク上にIII族窒化物半導体層をエピタキシャル成長させる工程とすることができる。このようにした場合、マスク開口部を成長起点として、最初に開口部、次いでマスクを覆うように基板全面にIII族窒化物半導体がエピタキシャル成長する。このような成長法として、選択横方向成長を行うＥＬＯとよばれる方法や、ファセット構造を形成させながら選択マスク成長させるＦＩＥＬＯとよばれる方法を採用することができる。
【００６３】
本発明において、III族窒化物半導体層を形成する工程の後、下地基板を剥離除去する。下地基板を除去する方法としては、III族窒化物半導体層成長後、雰囲気温度を降下させることにより前記下地基板を自然剥離する方法、空隙を有するIII族窒化物半導体層に応力を加え機械的に上記下地基板を剥離する方法、金属元素含有膜またはIII族窒化物半導体層中の空隙部の設けられた領域をエッチング除去して下地基板を剥離する方法等を用いることができる。
【００６４】
次に、本発明の金属元素含有膜として、Ｔｉ含有膜を用いた例について説明する。
【００６５】
本発明者らは、ＴｉやＮｉなどの特定の金属膜上に積層されたIII族窒化物半導体層に熱処理を行うと、当該III族窒化物半導体層中に空隙が形成されることを見出した。
（ｉ）Ｔｉ／ＴｉＮの触媒作用は、８００℃未満の低温では顕著に低くなること。
（ｉｉ）５００〜８００℃程度であれば、Ｔｉ上にＧａＮ結晶を成長することは可能であること。
上記二つの知見により、Ｔｉ/ＴｉＮの作用で分解されない基板、例えばサファイア基板などを用いて、次のような方法によって空隙部を生じさせることが可能であることがわかった。
【００６６】
（例１）
本例は、前述のタイプＩに属するものである。まず、サファイア基板にＴｉを蒸着する。次に、低温でＧａＮを成膜する。その後、昇温して低温ＧａＮ中にボイドを生じさせる。つづいて高温で厚膜ＧａＮを成長し、その後、自然剥離やエッチングによりサファイア基板を除去して自立基板を得る。
【００６７】
（例２）
本例は、前述のタイプＩＩに属するものである。本例は、窒化処理なしで金属元素含有膜上部に空隙部を形成するものである。本発明者らは、下地基板表面（異種基板上に直接金属元素含有膜を形成する場合は異種基板表面、異種基板上にIII族窒化物半導体膜を形成する場合は当該III族窒化物半導体膜）と格子整合しない金属窒化物や金属の薄膜を形成することで、微細孔構造を有する薄膜が形成できることを見出した。このとき、金属や金属窒化物の薄膜を形成した後、この薄膜について窒化処理や熱処理をとくに行わなくてもよい。金属やその金属窒化物の薄膜は、下地基板と結晶構造および格子定数が異なるため、上記薄膜中に大きな歪が加わる。この結果、結晶粒境界で孔が生成し、微細孔構造が生じるものと考えられる。この上にIII族窒化物半導体層を結晶させると、エピタキシャル情報は、微細孔を通して下地基板から当該III族窒化物半導体層に受け継がれる。上記薄膜上に現われた結晶は横方向成長により、お互いに合体して窒化物連続膜が形成されるが、上記薄膜とIII族窒化物半導体層の界面には、微細な空隙が多数発生する。
【００６８】
なお、上記微細孔を有する構造は、金属膜や金属窒化膜の成膜条件の調整によって作成することもできるが、金属膜や金属窒化膜を形成後、適宜、熱処理を行うことによっても作成することができる。空隙形成のための熱処理は金属元素含有膜の材料によって適宜選択される。たとえばチタン膜を形成した場合、熱処理温度は好ましくは７００℃以上、より好ましくは８００℃以上とする。温度が低すぎると、空隙の形成効率が低下することがある。なお、上限については成膜材料等によって適宜設定されるが、ＧａＮ系材料の場合、１４００℃以下とすることが好ましい。
【００６９】
（例３）
本例は、前述のタイプＩＩＩに属するものである。窒化物層を成長させる前の昇温時はＨ２雰囲気のみで行うこととしてもよい。こうすることによって、埋め込み前にＴｉＮ表面をＨ２雰囲気にさらしてＮの脱離を促進し、Ｔｉを一部露出させることができる。この結果、Ｔｉの有するIII族窒化物半導体に対する分解作用が顕著となり、空隙部が好適に形成される。
【００７０】
本例では、金属元素含有膜膜上に窒化物半導体層を成長させる際、少なくとも初期成長段階において、Ｖ/III比＜１０とする。Ｇａリッチな条件で成長を行うことで、初期成長段階におけるＴｉＮのＮの脱離を促進して表面に触媒活性の高いＴｉを露出させることができる。
【実施例】
【００７１】
（参照例）
直径２インチの単結晶のサファイア基板のＣ面上に、厚さ３０ｎｍの金属Ｔｉ膜を蒸着した。この基板を電気炉内に入れて、ＮＨ３を２０％混合したＮ２気流中、１０５０℃×３０ｍｉｎの熱処理を施し、Ｔｉ膜表面を窒化した。その後、Ｎ２雰囲気下で１０４０℃まで昇温し、ＧａＮを約５００ｎｍ厚に堆積し、ＨＶＰＥ−ＧａＮ層を形成した。キャリアガスとしてはＮ２を用いた。得られた基板を走査型電子顕微鏡（ＳＥＭ）断面観察したところ、Ｔｉ膜上部に空隙が多数発生し、多孔質層が形成されていることが確認された。
【００７２】
また、金属Ｔｉ膜をコバルト膜に代えて同様の実験を行ったところ、コバルト膜上部に空隙が多数発生し、多孔質層が形成されていることが確認された。さらに、ニッケル膜、白金膜について同様の実験を行ったところ、これらの膜上部に空隙が多数発生し、多孔質層が形成されていることが確認された。
【００７３】
これらの実験結果を踏まえ、本発明者らはＴｉ膜を用いてさらに詳細に実験を行い、検討を進めた。以下、本発明を実施例に基づいてさらに詳細に説明する。各実施例におけるプロセス条件の詳細および評価結果は、表１にまとめた。なお、実施例中、ＴｉやＴｉＮ等直上のＧａＮ層の成長において、実施例２をのぞき不純物としてシリコンを５×１０１７ｃｍ−２ドーピングした。
【００７４】
（実施例１）
本実施例の各工程について図１を用いて説明する。はじめに、直径２インチの単結晶のサファイア基板１１（図１（ａ））のＣ面上に、厚さ３０ｎｍの金属Ｔｉ膜１２を成膜速度０．８ｎｍ／ｓｅｃで蒸着した（図１（ｂ））。この基板をＨＶＰＥ炉に入れ、ＧａＣｌとＮＨ３を原料として、７５０℃で第一のＧａＮ層１３を１μｍ成長した（図１（ｃ））。次に、同炉内で基板温度を１０５０℃に昇温し、ＮＨ３気流中で３０分間熱処理を施すことにより、金属Ｔｉ膜１２がＴｉＮ膜１５に変化するとともに第一のＧａＮ層中に空隙１４が形成される（図１（ｄ））。
【００７５】
引き続き、同炉内で、第一のＧａＮ層１３上にＧａＣｌとＮＨ３を原料とし、ＳｉＨ２Ｃｌ２をドーパントとして、１０５０℃でＳｉドープの第二のＧａＮ層１６を２５０μｍ成長した（図１（ｅ））。なお、これらの成長は常圧で行い、キャリアガスとしてはＨ２１０％およびＮ２９０％（体積基準）を混合した混合ガスを用いた。成長ガスのＶ／ＩＩＩ比は１０とした。
【００７６】
第二のＧａＮ層１６の成長終了後、第一のＧａＮ層１３および第二のＧａＮ層１６の積層体は、降温過程においてサファイア基板１１から自然に剥離し、ＧａＮの自立基板が得られた。剥離したＧａＮ層の界面は、空隙１４が表面に出ているため、微細な凹凸が全面に観察された。凹凸を有する面は、ダイアモンド砥粒を用いて研磨することで、平坦に仕上げた。その結果、単結晶のＧａＮ自立基板１７が得られた（図１（ｆ））。
【００７７】
得られたＧａＮ自立基板１７の反りを測定したところ、基板の反りの曲率半径は約１０ｍと、非常に平坦な基板が得られていることが確認された。また、得られたＧａＮ自立基板１７の表面（下地基板を剥離した側と反対側の面）を原子間力顕微鏡で観察し、表面のピットの密度を測定したところ、２×１０６ｃｍ-2と少なく、結晶性が高い基板であることが確認された。
【００７８】
なお、上記と同様にして図１（ｅ）の途中までの工程を実施し、第二のＧａＮ層１６を数μｍの厚さに成長させた後、この基板を割り、その断面をＳＥＭ（走査型電子顕微鏡）で観察したところ、図２に示すように、サファイア基板上にＴｉの窒化膜層を介して空隙を有するＧａＮ層があり、その上に平坦なＧａＮ層が堆積されている構造になっていることが確認できた。なお、断面ＳＥＭ写真から見積もられる第一のＧａＮ層１３の空隙率は約５０％であった。本法で成長した結晶の結晶性、平坦性が高かった理由は、この空隙を有する第一のＧａＮ層１３の介在に負うものと考えられる。
【００７９】
（実施例２）
本実施例の各工程について図３を用いて説明する。直径２インチの単結晶のサファイア基板３１（図３（ａ））のＣ面上に、ＴＭＧとＮＨ３を原料としてＭＯＶＰＥ法によりアンドープのＧａＮ層３２を１μｍ成長した（図３（ｂ））。こうして得られたＧａＮエピタキシャル基板上に、ＴｉＣｌ４とＮＨ３を原料としてＣＶＤ法により、８００℃でＴｉＮを２０ｎｍ堆積させ、ＴｉＮ膜３４を設けた（図３（ｃ））。成膜速度は約１ｎｍ／ｓｅｃとした。この試料のＸ線回折測定を行ったところ、図４に示すように、ＴｉＮの回折ピークが観察され、ＴｉＮ膜３４は［１１１］方向に配向した膜であることが確認された。
【００８０】
また、ＴｉＮ膜３４を形成した図３（ｃ）の段階の試料表面および断面をＳＥＭで観察したところ、それぞれ図５のような構造になっていた。図５（ａ）はＴｉＮ膜３４を上面からみた図、図５（ｂ）はＴｉＮ膜３４の断面図である。ＴｉＮ膜の表面にはサブミクロンオーダーの微小な孔が均一に形成されており、下地のＧａＮ結晶表面が部分的に露出している状態であった。
【００８１】
これをＨＶＰＥ炉に入れ、Ｎ２雰囲気下で１０４０℃まで昇温し、３００μｍ厚のＧａＮを堆積し、ＨＶＰＥ−ＧａＮ層３６を設けた（図３（ｄ））。成長に用いた原料はＮＨ３とＧａＣｌである。また、供給ガス中のＧａＣｌ分圧、ＮＨ３分圧は、それぞれ、８×１０−３ａｔｍ、８×１０−２ａｔｍである。成長は常圧で行い、成長温度は１０４０℃とした。キャリアガスとしてはＮ２を用いた。Ｎ２をキャリアガスとして用いるのは、ＴｉＮ膜上の空隙３５の形成を促進するためである。Ｎ２の他にも、Ａｒ、Ｈｅなどの不活性ガスを用いることで同様な効果が得られる。
【００８２】
ＨＶＰＥ−ＧａＮ層３６は、成長終了後の降温過程において空隙３５を剥離箇所としてサファイア基板３１から自然に剥離した。剥離したＨＶＰＥ−ＧａＮ層３６の界面は、空隙３５が表面に出ているため、微細な凹凸が全面に観察された。凹凸を有する面は、ダイアモンド砥粒を用いて研磨することで、平坦に仕上げた。その結果、単結晶のＧａＮ自立基板３７が得られた（図３（ｅ））。
【００８３】
得られたＧａＮ自立基板３７の表面は、非常に平坦で、顕微鏡観察およびＳＥＭ観察により、サファイア基板上に低温成長バッファ層を介して成長した従来のＧａＮ層と比較して、同等かそれ以上の良好な表面状態であった。また、上記と同様にして作成した別の試料について断面ＳＥＭ写真からＧａＮ層の空隙率を見積もったところ、約５０％であった。
【００８４】
また、得られたＧａＮ自立基板３７の反りを測定したところ、基板の反りの曲率半径は約１２ｍと、非常に平坦な基板であることが確認された。また、得られたＧａＮ自立基板３７の表面（下地基板を剥離した側と反対側の面）を熱燐酸、硫酸混合液（２５０℃）に浸し、エッチピットで転位密度を調べた結果、１×１０６個／ｃｍ２と非常に少なく、結晶性の高い基板であることが確認された。
【００８５】
（実施例３）
本実施例の各工程について図６を用いて説明する。まず直径２インチの単結晶のサファイア基板６１（図６（ａ））のＣ面上に、ＴＭＧとＮＨ３を原料としてＭＯＶＰＥ法によりアンドープＧａＮ層６２を１μｍ成長した（図６（ｂ））。こうして得られたＧａＮエピタキシャル基板上に、金属Ｔｉを２０ｎｍ蒸着し、金属Ｔｉ膜６３を設けた（図６（ｃ））。成膜速度は０．８ｎｍ／ｓｅｃとした。この基板を電気炉内に入れて、ＮＨ３を２０％混合したＮ２気流中、１０５０℃×３０ｍｉｎの熱処理を施し、ＴｉＮ膜６４を形成した（図６（ｄ））。その表面および断面をＳＥＭで観察したところ、ＴｉＮ膜の表面にはサブミクロンオーダーの微小な孔が均一に形成されており、下地のＧａＮ結晶表面が部分的に露出している状態であった。
【００８６】
これをＨＶＰＥ炉に入れ、Ｎ２雰囲気下で１０４０℃まで昇温し、ＧａＮを約３００μｍ厚に堆積し、ＨＶＰＥ−ＧａＮ層６６を設けた（図６（ｅ））。この層の成長は２段階で行った。
【００８７】
第一段階の成長に用いた原料はＮＨ３とＧａＣｌである。また、供給ガス中のＧａＣｌ分圧、ＮＨ３分圧は、それぞれ、８×１０−３ａｔｍ、５．６×１０−２ａｔｍであり、Ｖ／ＩＩＩ比は７とした。成長は常圧で行い、キャリアガスとしてはＨ２１０％を混合したＮ２を用いた。この条件でＧａＮを２０μｍ程度成長し、次にキャリアガスをＨ２に切り替え、引き続き第二段階のＧａＮ成長を行った。このとき、Ｈ２キャリアガスでの成長における供給ガス中のＧａＣｌ分圧、ＮＨ３分圧をそれぞれ、１×１０−２ａｔｍ、２．５×１０−１ａｔｍとした。以上の２段階の成長により、３００μｍの厚さのＧａＮ層を成長した。ＧａＮ層表面は、すべてＮ２キャリアガス中で成長を行った場合に比較して異常成長の抑制や表面モフォロジの改善がみられた。ＨＶＰＥ−ＧａＮ層６６は、成長終了後の降温過程において空隙６５を剥離箇所としてサファイア基板６１から自然に剥離した。剥離したＨＶＰＥ−ＧａＮ層６６の剥離面は、空隙６５が表面に出ているため、微細な凹凸が全面に観察された。凹凸を有する面は、ダイアモンド砥粒を用いて研磨することで、平坦に仕上げた。その結果、単結晶のＧａＮ自立基板６７が得られた（図６（ｆ））。
【００８８】
得られたＧａＮ自立基板６７の表面は、非常に平坦で、顕微鏡観察およびＳＥＭ観察により、サファイア基板上に低温成長バッファ層を介して成長した従来のＧａＮ層と比較して、同等かそれ以上の良好な表面状態となっていることを確認した。また、上記と同様にして作成した別の試料について断面ＳＥＭ写真からＧａＮ層の空隙率を見積もったところ、約５０％であった。
【００８９】
得られたＧａＮ自立基板６７の反りを測定したところ、基板の反りの曲率半径は約１１ｍと、非常に平坦な基板であった。また、得られＧａＮ自立基板６７の表面（下地基板を剥離した側と反対側の面）を熱燐酸、硫酸混合液（２５０℃）に浸し、エッチピットで転位密度を調べた結果、１×１０６個／ｃｍ２と非常に少なく、結晶性の高い基板であることが確認された。
【００９０】
（実施例４）
本実施例の各工程について図６を用いて説明する。直径２インチの単結晶のサファイア基板６１のＣ面上に、ＴＭＧとＮＨ３を原料としてＭＯＶＰＥ法によりアンドープのＧａＮ層６２を１μｍ成長した（図６（ｂ））。こうして得られたＧａＮエピタキシャル基板上に、金属Ｔｉを２０ｎｍ蒸着し、金属Ｔｉ膜６３を設けた（図６（ｃ））。成膜速度は０．８ｎｍ／ｓｅｃとした。この基板を電気炉内に入れて、ＮＨ３を２０％混合したＮ２気流中、１０５０℃×３０ｍｉｎの熱処理を施し、ＴｉＮ膜６４を形成した（図６（ｄ））。この表面および断面をＳＥＭで観察したところ、ＴｉＮ膜の表面には、サブミクロンオーダーの微小な孔が均一に形成されており、下地のＧａＮ結晶表面が部分的に露出している状態である。
【００９１】
以上のようにして得られた基板をＨＶＰＥ炉に入れ、Ｈ2雰囲気で１０４０℃まで昇温し、ＧａＮを約３００μｍの厚さに堆積した。この層の成長は２段階で行った。
【００９２】
第一段階の成長に用いた原料はＮＨ3とＧａＣｌである。また、供給ガス中のＧａＣｌ分圧、ＮＨ3分圧は、それぞれ８×１０−３ａｔｍ、１×１０−１ａｔｍ（Ｖ／ＩＩＩ比が１２．５）で、成長は常圧で行い、キャリアガスとしてはＮ２を用いた。この条件でＧａＮを２０μｍ程度成長し、次にキャリアガスをＨ２に切り替え、引き続き第二段階のＧａＮ成長を行った。このとき、Ｈ２キャリアガスでの成長における供給ガス中のＧａＣｌ分圧、ＮＨ３分圧をそれぞれ、１×１０−２ａｔｍ、２．５×１０−１ａｔｍとした。以上の２段階の成長により、３００μｍの厚さのＧａＮ層を成長した。
【００９３】
ＧａＮ層表面は、すべてＮ２キャリアガス中で成長を行った場合に比較して異常成長の抑制や表面モフォロジの改善がみられた。ＨＶＰＥ−ＧａＮ層６６は、成長終了後の降温過程において空隙６５を剥離箇所としてサファイア基板６１から自然に剥離した。剥離したＨＶＰＥ−ＧａＮ層６６の界面は、空隙６５が表面に出ているため、微細な凹凸が全面に観察された。凹凸を有する面は、ダイアモンド砥粒を用いて研磨することで、平坦に仕上げた。その結果、単結晶のＧａＮ自立基板６７が得られた（図６（ｆ））。
【００９４】
得られたＧａＮ自立基板６７の表面は、非常に平坦で、顕微鏡観察およびＳＥＭ観察により、サファイア基板上に低温成長バッファ層を介して成長した従来のＧａＮ層と比較して、同等かそれ以上の良好な表面状態となっていることを確認した。また、上記と同様にして作成した別の試料について断面ＳＥＭ写真からＧａＮ層の空隙率を見積もったところ、約６０％であった。
【００９５】
得られたＧａＮ自立基板６７の反りを測定したところ、基板の反りの曲率半径は約１３ｍと、非常に平坦な基板であった。また、得られたＧａＮ自立基板６７の表面（下地基板を剥離した側と反対側の面）を熱燐酸、硫酸混合液（２５０℃）に浸し、エッチピットで転位密度を調べた結果、９×１０５個／ｃｍ２と非常に少なく、結晶性の高い基板であることが確認された。
【００９６】
上記実施例においては、ＴｉＮ膜の表面をＨ2雰囲気で還元処理したが、この処理に代えてＨＦ溶液を用いてウエット処理することもできる。たとえば、ＨＦに３０分間浸漬し、水洗するという処理により、ＧａＮ層中に空隙６５を好適に形成することができる。
【００９７】
比較例１
本比較例では、直径２インチの単結晶サファイアＣ面基板上に、Ｔｉ膜を成膜速度約２ｎｍ／ｓｅｃとして１００ｎｍ蒸着し、その上に酸化防止のために金膜を膜厚１０〜２０ｎｍで蒸着した。この基板をＭＢＥ炉（分子線結晶成長炉）内に入れ、７００℃で基板上にＧａＮ層（膜厚０．５μｍ）を成長した。本比較例では、金膜上のＧａＮ層に空隙が形成されることが抑えられる。
【００９８】
ＭＢＥ炉から取り出した基板をフッ化水素酸中に浸漬したところ、Ｔｉ膜が選択的にエッチングされたが、ＧａＮエピタキシャル層は粉々の状態になった。
【００９９】
上記実施例および比較例の実験条件および評価結果を表１に示す。表中、「プロセス」とあるのは、前述のタイプＩ〜ＩＶのどれに該当するかを示しており、複数該当するものについては、その実施例の意図する主たるタイプを記載してある。また、「ＧａＮ成長」とは、ＴｉやＴｉＮの直上に形成されるＧａＮ成長の条件を示してある。
【０１００】
上記各実施例では、それぞれ、空隙部を含む多孔質層が形成されており、これにより、基板の剥離が容易になるとともに反りが顕著に低減され、基板表面欠陥密度が大幅に低減されていることが明らかになった。
【０１０１】
【表１】
2008162887.tif 000003
【０１０２】
以上、本発明を実施例に基づいて説明したが、本発明の趣旨を変えない範囲で種々の変形例をとり得ることは当業者にとって明らかである。以下、こうした変形例について説明する。
【０１０３】
上記実施例では、下地基板としてＣ面を成長面とするサファイア基板を用いたが、Ａ面を成長面とするサファイア基板を用いても良い。Ａ面サファイアは、Ｃ面サファイアに比べて大口径化が容易であり、大口径のIII族窒化物半導体基板を得ることが可能となる。
【０１０４】
また、上記実施例においては、本発明をＧａＮ基板の製造方法に適用した例について説明したが、窒化アルミニウムガリウムや窒化ガリウムインジウムなどの三元混晶の単結晶自立基板の製造や、Ｍｇ等をドープしたｐ型ＧａＮ基板の製造に適用することも可能である。
【０１０５】
また、上記実施例では金属膜としてＴｉ膜を用いたが、その他の金属材料からなる膜を用いてもよい。本発明者らの検討によれば、白金やニッケル、タングステン等を金属膜材料として用いた場合も、その上に形成されるIII族窒化物半導体層に空隙を形成できることが確認されている。こうした金属材料からなる金属膜や金属窒化膜を用いてもよい。また、合金膜を用いることもできる。さらに、金属膜表面にサーファクタント効果を有するシリコンなどの元素を吸着させてからＧａＮを成長し、欠陥密度をより低減させる方法を採用することもできる。
【０１０６】
また、微細孔を有するＴｉＮ膜の形成には簡便な自己形成手法を用いたが、もちろんスパッタリング法による膜形成後、フォトリソグラフで形成してもよい。
【０１０７】
また、ＴｉやＴｉＮ膜上のＧａＮ層の形成に際しては、ＥＬＯ、ＦＩＥＬＯ等のマスクを用いた選択成長を採用してもよい。
【０１０８】
本発明により得られるIII族窒化物半導体基板は、ＧａＮ系デバイス用の基板として広く用いることができる。特に、レーザダイオード用基板として用いると、欠陥密度の低い良質なＧａＮ系結晶が得られるため、高信頼性高性能なレーザダイオードを製造することが可能となる。
【図面の簡単な説明】
【０１０９】
【図１】本発明に係る半導体基板の製造方法を示す工程断面図である。
【図２】実施例におけるＳＥＭ観察結果を示す図面代用写真である。
【図３】本発明に係る半導体基板の製造方法を示す工程断面図である。
【図４】実施例におけるＸ線回折測定結果を示す図である。
【図５】実施例におけるＳＥＭ観察結果を示す図面代用写真である。
【図６】本発明に係る半導体基板の製造方法を示す工程断面図である。
【符号の説明】
【０１１０】
１１  サファイア基板
１２  金属Ｔｉ膜
１３  第一のＧａＮ層
１４  空隙
１５  ＴｉＮ膜
１６  第二のＧａＮ層
１７  ＧａＮ自立基板
３１  サファイア基板
３２  ＧａＮ層
３４  ＴｉＮ膜
３５  空隙
３６  ＨＶＰＥ−ＧａＮ層
３７  ＧａＮ自立基板
６１  サファイア基板
６２  ＧａＮ層
６３  金属Ｔｉ膜
６４  ＴｉＮ膜
６５  空隙
６６  ＨＶＰＥ−ＧａＮ層
６７  ＧａＮ自立基板
【図１】
2008162887.tif 000004
【図２】
2008162887.tif 000005
【図３】
2008162887.tif 000006
【図４】
2008162887.tif 000007
【図５】
2008162887.tif 000008
【図６】
2008162887.tif 000009
【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
下地基板上に、金属元素含有膜を形成する工程と、
該金属元素含有膜上に接して、空隙部を含むIII族窒化物半導体層を形成する工程と、
前記空隙部を剥離箇所として前記下地基板を剥離して除去する工程と、
を含む製造方法により得られることを特徴とするIII族窒化物半導体基板。
【請求項２】
請求項１に記載のIII族窒化物半導体基板において、
前記金属元素含有膜は、III族窒化物半導体に対して分解作用を有する金属元素を含有することを特徴とするIII族窒化物半導体基板。
【請求項３】
請求項２に記載のIII族窒化物半導体基板において、
前記金属元素は、遷移元素であることを特徴とするIII族窒化物半導体基板。
【請求項４】
請求項２に記載のIII族窒化物半導体基板において、
前記金属元素は、スカンジウム、イットリウム、チタン、ジルコニウム、ハフニウム、バナジウム、ニオブ、タンタル、クロム、モリブデン、タングステン、レニウム、鉄、ルテニウム、オスミウム、コバルト、ロジウム、イリジウム、ニッケル、パラジウム、マンガン、銅、白金または金であることを特徴とするIII族窒化物半導体基板。
【請求項５】
請求項４に記載のIII族窒化物半導体基板において、
前記金属元素は、チタン、ジルコニウム、ハフニウム、タンタル、白金、コバルトまたはニッケルであることを特徴とするIII族窒化物半導体基板。
【請求項６】
下地基板上に、金属元素含有膜を形成する工程と、
該金属元素含有膜上に接して、第一のIII族窒化物半導体層を成長させる工程と、
前記第一のIII族窒化物半導体層の成長温度よりも高い温度で前記金属元素含有膜および前記第一のIII族窒化物半導体層を熱処理し、前記第一のIII族窒化物半導体層中に空隙部を形成する工程と、
前記第一のIII族窒化物半導体層上に第二のIII族窒化物半導体層を形成する工程と、
前記空隙部を剥離箇所として前記下地基板を剥離して除去する工程と、
を含む製造方法により得られることを特徴とするIII族窒化物半導体基板。
【請求項７】
請求項６に記載のIII族窒化物半導体基板において、
前記第一のIII族窒化物半導体層の成長温度を４００℃以上８００℃以下とすることを特徴とするIII族窒化物半導体基板。
【請求項８】
請求項６または７に記載のIII族窒化物半導体基板において、
前記第一のIII族窒化物半導体層の前記熱処理を９００℃以上１４００℃以下の温度で行うことを特徴とするIII族窒化物半導体基板。
【請求項９】
請求項６乃至８いずれかに記載のIII族窒化物半導体基板において、
前記第一のIII族窒化物半導体層の厚みを２０ｎｍ以上２０００ｎｍ以下とすることを特徴とするIII族窒化物半導体基板。
【請求項１０】
請求項６乃至９いずれかに記載のIII族窒化物半導体基板において、
前記金属元素含有膜は金属膜であることを特徴とするIII族窒化物半導体基板。
【請求項１１】
請求項６乃至１０いずれかに記載のIII族窒化物半導体基板において、
前記金属元素含有膜は、III族窒化物半導体に対して分解作用を有する金属元素を含有することを特徴とするIII族窒化物半導体基板。
【請求項１２】
請求項１１に記載のIII族窒化物半導体基板において、
前記金属元素は、遷移元素であることを特徴とするIII族窒化物半導体基板。
【請求項１３】
請求項１１に記載のIII族窒化物半導体基板において、
前記金属元素は、スカンジウム、イットリウム、チタン、ジルコニウム、ハフニウム、バナジウム、ニオブ、タンタル、クロム、モリブデン、タングステン、レニウム、鉄、ルテニウム、オスミウム、コバルト、ロジウム、イリジウム、ニッケル、パラジウム、マンガン、銅、白金または金であることを特徴とするIII族窒化物半導体基板。
【請求項１４】
請求項１３に記載のIII族窒化物半導体基板において、
チタン、ジルコニウム、ハフニウム、タンタル、白金、コバルトまたはニッケルであることを特徴とするIII族窒化物半導体基板。
【請求項１５】
下地基板上に、微細孔構造を有する金属元素含有膜を形成する工程と、
該金属元素含有膜上に接して、空隙部を含むIII族窒化物半導体層を形成する工程と、
前記空隙部を剥離箇所として前記下地基板を剥離して除去する工程と、
を含む製造方法により得られることを特徴とするIII族窒化物半導体基板。
【請求項１６】
請求項１５に記載のIII族窒化物半導体基板において、
前記金属元素含有膜は、III族窒化物半導体に対して分解作用を有する金属元素を含有することを特徴とするIII族窒化物半導体基板。
【請求項１７】
請求項１６に記載のIII族窒化物半導体基板において、
前記金属元素は、遷移元素であることを特徴とするIII族窒化物半導体基板。
【請求項１８】
請求項１６に記載のIII族窒化物半導体基板において、
前記金属元素は、スカンジウム、イットリウム、チタン、ジルコニウム、ハフニウム、バナジウム、ニオブ、タンタル、クロム、モリブデン、タングステン、レニウム、鉄、ルテニウム、オスミウム、コバルト、ロジウム、イリジウム、ニッケル、パラジウム、マンガン、銅、白金または金であることを特徴とするIII族窒化物半導体基板。
【請求項１９】
請求項１８に記載のIII族窒化物半導体基板において、
前記金属元素は、チタン、ジルコニウム、ハフニウム、タンタル、白金、コバルトまたはニッケルであることを特徴とするIII族窒化物半導体基板。
【請求項２０】
下地基板上に、少なくとも表面が金属窒化物からなる金属元素含有膜を形成する工程と、
前記金属窒化物に含まれる窒素の脱離処理を行う工程と、
該金属元素含有膜上に接して、空隙部を含むIII族窒化物半導体層を形成する工程と、
前記空隙部を剥離箇所として前記下地基板を剥離して除去する工程と、
を含む製造方法により得られることを特徴とするIII族窒化物半導体基板。
【請求項２１】
請求項２０に記載のIII族窒化物半導体基板において、
金属元素含有膜を形成する前記工程は、前記下地基板上に金属膜を形成した後、該金属膜を窒化処理する工程を含むことを特徴とするIII族窒化物半導体基板。
【請求項２２】
請求項２０に記載のIII族窒化物半導体基板において、
前記金属元素含有膜が金属窒化膜であることを特徴とするIII族窒化物半導体基板。
【請求項２３】
請求項２０乃至２２いずれかに記載のIII族窒化物半導体基板において、
前記窒素の脱離処理は、前記金属元素含有膜を還元性雰囲気に曝す処理であることを特徴とするIII族窒化物半導体基板。
【請求項２４】
下地基板上に、少なくとも表面が金属窒化物からなる金属元素含有膜を形成する工程と、
該金属元素含有膜上に接して、原料ガスのＶ/III比が１０以下の条件でIII族窒化物半導体を成長させ、空隙部を含むIII族窒化物半導体層を形成する工程と、
前記空隙部を剥離箇所として前記下地基板を剥離して除去する工程と、
を含む製造方法により得られることを特徴とするIII族窒化物半導体基板。
【請求項２５】
請求項２４に記載のIII族窒化物半導体基板において、
前記金属元素含有膜は、III族窒化物半導体に対して分解作用を有する金属元素を含有することを特徴とするIII族窒化物半導体基板。
【請求項２６】
請求項２５に記載のIII族窒化物半導体基板において、
前記金属元素は、遷移元素であることを特徴とするIII族窒化物半導体基板。
【請求項２７】
請求項２５に記載のIII族窒化物半導体基板において、
前記金属元素は、スカンジウム、イットリウム、チタン、ジルコニウム、ハフニウム、バナジウム、ニオブ、タンタル、クロム、モリブデン、タングステン、レニウム、鉄、ルテニウム、オスミウム、コバルト、ロジウム、イリジウム、ニッケル、パラジウム、マンガン、銅、白金または金であることを特徴とするIII族窒化物半導体基板。
【請求項２８】
請求項２７に記載のIII族窒化物半導体基板において、
前記金属元素は、チタン、ジルコニウム、ハフニウム、タンタル、白金、コバルトまたはニッケルであることを特徴とするIII族窒化物半導体基板。
【請求項２９】
請求項１乃至２８いずれかに記載のIII族窒化物半導体基板において、
前記下地基板の全面に前記金属元素含有膜を形成することを特徴とするIII族窒化物半導体基板。
【請求項３０】
下地基板上に、多孔質層を含むIII族窒化物半導体層を形成した後、該多孔質層を剥離箇所として前記下地基板を剥離して除去する工程を含む製造方法により得られることを特徴とするIII族窒化物半導体基板。
【請求項３１】
請求項１乃至３０いずれかに記載のIII族窒化物半導体基板において、
前記下地基板を剥離して除去する前記工程は、III族窒化物半導体層成長後、雰囲気温度を降下させることにより前記下地基板を自然剥離する工程を含むことを特徴とするIII族窒化物半導体基板。
【手続補正３】
【補正対象書類名】明細書
【補正対象項目名】０００１
【補正方法】変更
【補正の内容】
【０００１】
本発明は、III族窒化物半導体の自立基板に関するものである。
【手続補正４】
【補正対象書類名】明細書
【補正対象項目名】０００８
【補正方法】変更
【補正の内容】
【０００８】
本発明によれば、下地基板上に、金属元素含有膜を形成する工程と、該金属元素含有膜上に接して、空隙部を含むIII族窒化物半導体層を形成する工程と、前記空隙部を剥離箇所として前記下地基板を剥離して除去する工程と、を含む製造方法により得られることを特徴とするIII族窒化物半導体基板が提供される。
【手続補正５】
【補正対象書類名】明細書
【補正対象項目名】０００９
【補正方法】変更
【補正の内容】
【０００９】
また本発明によれば、下地基板上に、金属元素含有膜を形成する工程と、該金属元素含有膜上に接して、第一のIII族窒化物半導体層を成長する工程と、前記第一のIII族窒化物半導体層の成長温度よりも高い温度で前記金属元素含有膜および前記第一のIII族窒化物半導体層を熱処理し、前記第一のIII族窒化物半導体層中に空隙部を形成する工程と、前記第一のIII族窒化物半導体層上に第二のIII族窒化物半導体層を形成する工程と、前記空隙部を剥離箇所として前記下地基板を剥離して除去する工程と、を含む製造方法により得られることを特徴とするIII族窒化物半導体基板が提供される。
【手続補正６】
【補正対象書類名】明細書
【補正対象項目名】００１０
【補正方法】変更
【補正の内容】
【００１０】
また本発明によれば、下地基板上に、微細孔構造を有する金属元素含有膜を形成する工程と、該金属元素含有膜上に接して、空隙部を含むIII族窒化物半導体層を形成する工程と、前記空隙部を剥離箇所として前記下地基板を剥離して除去する工程と、を含む製造方法により得られることを特徴とするIII族窒化物半導体基板が提供される。
【手続補正７】
【補正対象書類名】明細書
【補正対象項目名】００１１
【補正方法】変更
【補正の内容】
【００１１】
また本発明によれば、下地基板上に、少なくとも表面が金属窒化物からなる金属元素含有膜を形成する工程と、前記金属窒化物に含まれる窒素の脱離処理を行う工程と、該金属元素含有膜上に接して、空隙部を含むIII族窒化物半導体層を形成する工程と、前記空隙部を剥離箇所として前記下地基板を剥離して除去する工程と、を含む製造方法により得られることを特徴とするIII族窒化物半導体基板が提供される。
【手続補正８】
【補正対象書類名】明細書
【補正対象項目名】００１２
【補正方法】変更
【補正の内容】
【００１２】
また本発明によれば、下地基板上に、少なくとも表面が金属窒化物からなる金属元素含有膜を形成する工程と、該金属元素含有膜上に接して、原料ガスのＶ/III比を１０以下の条件でIII族窒化物半導体を成長させ、空隙部を含むIII族窒化物半導体層を形成する工程と、前記空隙部を剥離箇所として前記下地基板を剥離して除去する工程と、を含む製造方法により得られることを特徴とするIII族窒化物半導体基板が提供される。
【手続補正９】
【補正対象書類名】明細書
【補正対象項目名】００１３
【補正方法】変更
【補正の内容】
【００１３】
さらに本発明によれば、下地基板上に、多孔質層を含むIII族窒化物半導体層を形成した後、該多孔質層を剥離箇所として前記下地基板を剥離して除去する工程を含む製造方法により得られることを特徴とするIII族窒化物半導体基板が提供される。
【手続補正１０】
【補正対象書類名】明細書
【補正対象項目名】００１４
【補正方法】削除
【補正の内容】
【手続補正１１】
【補正対象書類名】明細書
【補正対象項目名】００３７
【補正方法】変更
【補正の内容】
【００３７】
本発明において、金属元素含有膜は、III族窒化物半導体に対して分解を促す触媒作用を有する金属元素を含有するものとすることができる。こうした金属元素として、遷移元素、特にｄ−ブロック遷移元素を例示することができる。なかでも、スカンジウム、イットリウム、チタン、ジルコニウム、ハフニウム、バナジウム、ニオブ、タンタル、タングステン、クロム、モリブデン、レニウム、鉄、ルテニウム、オスミウム、コバルト、ロジウム、イリジウム、ニッケル、パラジウム、マンガン、銅、白金および金からなる群から選択される一または二以上の元素とすることが好ましい。こうした材料を用いることにより、III族窒化物半導体層に好適な形態の空隙を形成することができる。